(57)【要約】【課題】靴を脱ぐことなく着脱が容易に行え、また脱いだ状態でコンパクトに保持できる下半身防水具を提供する。【解決手段】下半身防水具１００は、左右に分割可能に構成しており、左右の防水具は各々、分割ライン１６に沿って左右の防水具を連結、分離するための左右連結部１８と、中空筒状部分１０の足裾部分に、中空筒状部分１０を折り畳んだ状態で保持可能な保持部２０とを備える。左右連結部１８で左右の防水具を分離し、左右の中空筒状部分１０を靴の上方で各々折り畳んだ状態となるように保持部２０で保持可能に構成しており、これによって下半身防水具を着用した状態で、靴を脱ぐことなく左右連結部１８で左右の防水具に分離し、なおかつ保持部２０でコンパクトに纏めることができるので、実質上は下半身防水具を脱ぐのと同様の効果を得ることができる。【選択図】図１
0003105050.tif 000002
【実用新案登録請求の範囲】
【請求項１】
左右の足を各々挿入するための一対の中空筒状部分(10)と、これらと連通される開口部(12)を有し、開口部(12)から足を挿入した際に腰部を被覆する腰被覆部(14)を備え、着用時に下半身を防水する下半身防水具であって、
前記腰被覆部(14)で股を通過する分割ライン(16)に沿って左右に分割可能に構成しており、
各分割された左右の防水具は、各々、
防水性の素材で構成され、
前記分割ライン(16)に沿って左右の防水具を連結、分離するための左右連結部(18)を上部の開口と交差する縦方向端縁に備え、
中空筒状部分(10)の足裾部分に、中空筒状部分(10)を折り畳んだ状態で保持可能な保持部(20)と、
を備えており、
左右の防水具を前記左右連結部(18)で連結することで下半身防水具を構成でき、
一方前記左右連結部(18)で左右の防水具を分割ライン(16)に沿って分離し、左右の中空筒状部分(10)を靴の上方で各々折り畳んだ状態となるように前記保持部(20)で保持可能に構成してなることを特徴とする下半身防水具。
【請求項２】
請求項１に記載の下半身防水具であって、
前記保持部(20)が、環状の弾性体により構成されており、折り畳まれた中空筒状部分(10)を足首の周囲から押圧して保持するよう構成されてなることを特徴とする下半身防水具。
【請求項３】
請求項１または２に記載の下半身防水具であって、
前記左右連結部(18)がファスナ、面ファスナ、ホック、フック、ボタンの少なくともいずれかであることを特徴とする下半身防水具。
【請求項４】
請求項１から３のいずれかに記載の下半身防水具であって、さらに、
中空筒状部分(10)の足裾部分に、靴と連結するための靴連結部(22)を備えることを特徴とする下半身防水具。
【請求項５】
請求項１から３のいずれかに記載の下半身防水具であって、さらに、
中空筒状部分(10)先端の足裾部分で固定された雨靴を備えることを特徴とする下半身防水具。
【考案の詳細な説明】
【技術分野】
【０００１】
本考案は、雨カッパや雨具のズボンといった下半身を防水する防水具に関する。
【背景技術】
【０００２】
雨の日は、傘だけでは防水が不十分であるため雨カッパ等の雨具を着用することがある。特に雨中の作業などにおいては雨具が利用される（例えば特許文献１参照）。雨具は、一般に着用者が衣服の上から着用する。このとき、上半身の雨具は通常のジャケットなどと同様に着用、脱衣を容易に行うことができる。しかしながら、下半身の雨具は、足をズボンに挿入する必要が亜あるため、一旦靴を脱ぐ必要がある。一般に室内で下半身雨具（雨具下）を着用する際は、未だ濡れいていない雨具下を靴を脱いで着用できるので、特に問題はない。しかしながら、一旦外に出て雨具が濡れてしまうと、雨具下を脱ぐことは容易でない。それは雨具が濡れいているために、靴を脱いで、雨具下を脱ぐ際に靴下やズボン下が濡れてしまうからである。特に、屋外においては靴を脱ぎ難いため雨具の脱衣はさらに面倒となる。かといって、濡れた雨具を着用したままでは臀部も濡れているため、椅子に座ることも憚られる。例えば車に乗ってシートに座ると、シートを濡らしてしまう。同様に雨中から食堂などに入っても、椅子に座る前に雨具下を脱がないと椅子が濡れてしまうこととなる。また、雨具下を脱ぐとしても、脱いだ雨具下の置き場や扱いに困るという問題がった。
【特許文献１】特開平１１−２５６４０９号
【考案の開示】
【考案が解決しようとする課題】
【０００３】
本考案は、このような問題点を解決するためになされたものである。本考案の主な目的は、靴を脱ぐことなく着脱が容易に行え、また脱いだ状態でコンパクトに保持できる下半身防水具を提供することにある。
【課題を解決するための手段】
【０００４】
上記の目的を達成するために、本考案の下半身防水具は、左右の足を各々挿入するための一対の中空筒状部分１０と、これらと連通される開口部１２を有し、開口部１２から足を挿入した際に腰部を被覆する腰被覆部１４を備え、着用時に下半身を防水する下半身防水具であって、腰被覆部１４で股を通過する分割ライン１６に沿って左右に分割可能に構成しており、各分割された左右の防水具は、各々、防水性の素材で構成され、分割ライン１６に沿って左右の防水具を連結、分離するための左右連結部１８を上部の開口と交差する縦方向端縁に備え、中空筒状部分１０の足裾部分に、中空筒状部分１０を折り畳んだ状態で保持可能な保持部２０とを備えており、左右の防水具を左右連結部１８で連結することで下半身防水具を構成でき、一方左右連結部１８で左右の防水具を分割ライン１６に沿って分離し、左右の中空筒状部分１０を靴の上方で各々折り畳んだ状態となるように保持部２０で保持可能に構成している。この構成によって、下半身防水具を着用した状態で、靴を脱ぐことなく左右連結部で左右の防水具に分離し、なおかつ保持部でコンパクトに纏めることができるので、実質上は下半身防水具を脱ぐのと同様の効果を得ることができる。
【０００５】
また、本考案の他の下半身防水具は、保持部２０が、環状の弾性体により構成されており、折り畳まれた中空筒状部分１０を足首の周囲から押圧して保持するよう構成されている。これにより、折り畳まれた中空筒状部分がずり落ちないように弾性体の状部分保持部２０で確実に保持できる。
【０００６】
さらに、本考案の他の下半身防水具は、左右連結部１８がファスナ、面ファスナ、ホック、フック、ボタンの少なくともいずれかである。これにより、左右連結部で下半身防水具と靴との連結を容易に行うことができる。
【０００７】
さらにまた、本考案の他の下半身防水具は、中空筒状部分１０の足裾部分に、靴と連結するための靴連結部２２を備える。この構成によって、下半身防水具の裾の部分で靴を連結し、確実に下半身防水具を雨靴の上方で保持することができる。
【０００８】
さらにまた、本考案の他の下半身防水具は、さらに中空筒状部分１０先端の足裾部分で固定された雨靴を備える。この構成によって、下半身防水具と雨靴が一体に固定されているので、雨靴と下半身防水具の裾とが分離せず、確実に下半身防水具を雨靴の上方で保持することができる。
【考案の効果】
【０００９】
以上のように本考案の下半身防水具によれば、靴を脱いだり履いたりせずとも実質的に下半身防水具を着脱できるという優れた特長を実現する。それは、本考案の下半身防水具が股下で分離可能な構成を採用すると共に、分離された中空筒状部分を折り畳んで靴の上方で保持する構成としているからである。これにより、靴を脱がずとも下半身防水具を足からほぼ外した状態とできるので、実質的に下半身防水具を脱いだのと同じ状態とでき、椅子に座ることも支障なく行える。このように、本考案によれば従来脱衣が問題であった雨具下などの下半身防水具の使い勝手を大きく改善して、より便利に使用できる利点が得られる。
【考案を実施するための最良の形態】
【００１０】
以下、本考案の実施の形態を図面に基づいて説明する。ただし、以下に示す実施の形態は、本考案の技術思想を具体化するための下半身防水具を例示するものであって、本考案は下半身防水具を以下のものに特定しない。
【００１１】
また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
【００１２】
図１に、本考案の一実施の形態に係る下半身防水具の斜視図を示す。この図に示す下半身防水具１００は、通常の雨具下と同様の形状を有している。すなわち、左右の足を各々挿入する一対の中空状の筒状部分と、これらと連通される開口部１２を有し、開口部１２から足を挿入した際に着用者の腰部を被覆する腰被覆部１４を備える一般的な雨具ズボンと同様の形状、寸法が採用できる。その素材は、雨具として使用できる防水性のある素材が使用され、ゴアテックス（登録商標）やミクロテックス等通気性を有する素材が採用できるが、後述するように折り畳み易く、またその際に嵩張らないよう薄手であることが好ましい。好適にはナイロン、ポリ塩化ビニルなどが使用できる。
【００１３】
また図１の下半身防水具１００は、股下の部分を通って左右に分割する分割ライン１６に沿って、下半身防水具１００を左右に分割する左右連結部１８を設けている。分割ライン１６は、図１の例では左右の防水具をほぼ同じ形状、大きさとなるよう中央部分に設けているが、腰被覆部１４の開口部１２に対して斜めに交差するように設けることもできる。左右連結部１８は、好ましくはオープンファスナとする。オープンファスナは、分割ライン１６で連結、分離が可能なチャックやジッパーが利用できる。ただ、左右連結部１８は左右の防水具が脱着可能に連結できる部材が利用でき、面ファスナやホック、フック、ボタン等としてもよい。左右連結部１８も、中空筒状部分１０を押し縮めた状態で嵩張らないよう、折曲が容易で薄く構成することが好ましい。
【００１４】
図２に、左右連結部１８で分割された左防水具１００Ａの斜視図を示す。なお、右防水具１００Ｂもほぼ同様の構成である。左防水具１００Ａは、中空筒状部分１０の下方で裾の先端に保持部２０を設けている。保持部２０は、環状の弾性体により構成されており、折り畳まれた中空筒状部分１０を足首の周囲から押圧して保持する。図２の例では、側面を傾斜させた切頭円錐状のゴム板を、中空筒状部分１０の裾部分に固定して保持部２０としている。
【００１５】
この保持部２０の上方に伸びる中空筒状部分１０を縮めてコンパクトにした状態を図３に示す。中空筒状部分１０をコンパクトにして保持部２０で保持する際には、中空筒状部分１０をクシャクシャに押し縮めたり、蛇腹状あるいは提灯状に山谷で折り畳んだり、折り返すように畳むなど、どのような方法でもよい。単に着用者が中空筒状部分１０を押し下げるのみで纏める方法が最も簡単である。そして図３に示すように、中空筒状部分１０を縮めた状態で、図４に示すように保持部２０を上方に折り返すと、保持部２０の裏側で形成される収納空間内に中空筒状部分１０が保持される。これによって、着用者が足Ｆを動かした際に縮められた中空筒状部分１０がずれて地面に引きずられる事態を回避できる。このゴム板状の保持部２０は、着用者の足Ｆの上に被さるように折り返して中空筒状部分１０を保持している。ただ、着用者が長靴やブーツなど丈の長い靴を着用している場合は、この靴の上に保持部が被さるように、保持部を押し下げてもよい。保持部は弾性環状であるため、着用者の足Ｆに沿って容易に上下させることができる。靴の上に保持部を位置させることで、保持部が着用者の足Ｆを直接押圧して負荷を与えたり、接触面で汗ばんだりする事態が緩和される。
【００１６】
また保持部は、上記の形状に限られず、単に円筒形のゴム板、あるいは裾の近傍に配置されて開口面積を狭くする方向に付勢された環状ゴム等も利用できる。環状ゴムを使用する場合は、二重に環状ゴムを設けることでより確実に保持機能を発揮できる。あるいは、裾近傍から紐状態を突出させて、縮めた中空筒状部分を縛るようにして面ファスナやボタンで固定する構成としてもよい。
【００１７】
さらに、防水具と靴とを連結するための靴連結部を備えることもできる。図５に示すように、中空筒状部分１０の裾部分に、靴Ｓと着脱可能に連結するための靴連結部２２を設ける。図５の例では靴連結部２２としてボタンを使用している。この例では裾部分を延長して、開口端を長靴Ｓを挿入できる大きさとし、さらに長靴Ｓに設けられたボタンと係合するボタンを固着している。これにより、下半身防水具２００を着用して靴Ｓを履いた状態で、靴連結部２２のボタンを長靴Ｓのボタンと係合してこれらを連結できる。なお、この場合は靴連結部２２のボタンと係合するボタンを予め長靴Ｓに設ける必要がある。ただ、靴連結部はこの例に限られず、面ファスナやホック、フック等としてもよい。あるいは、両面テープ状の粘着テープやクリップ状、洗濯バサミ状の狭着構造などとして、汎用性を持たせることもできる。
【００１８】
このように、靴Ｓと防水具とを連結可能な機構を設けることにより、コンパクトに縮めた防水具が位置ずれする事態を確実に阻止できる。特に図４の構成では、防水具と靴Ｓとが固定されていないため、保持部２０の弾性力が失われるにつれて下方にずれ落ちやすくなる可能性があるが、靴連結部２２を設けることにより靴Ｓと固定状態として、このようなずれ落ちの問題を確実に回避できる。
【００１９】
さらにまた、靴と防水具とを一体型にした構成とすることもできる。図６〜図８に、靴一体型の防水具の一例を示す。図６は靴一体型下半身防水具３００の斜視図であり、図７は図６の下半身防水具３００を分離した左防水具３００Ａの斜視図であり、図８は図７の左防水具３００Ａで中空筒状部分１０を幾重に折り込んでコンパクトに纏めた状態を示す斜視図である。これらの図に示す下半身防水具３００は、中空筒状部分１０の裾部分が長靴２４と予め固定されている。これにより、靴連結部を連結することなく、確実にずれ落ちを阻止できる利点が得られる。
【００２０】
以上のようにして、左右に分離した防水具を左右の足首近傍に各々コンパクトに纏めることができるので、靴を脱ぎ履きすることなく下半身防水具を実質的に着脱でき、さらに脱いだ防水具を足下に纏めることで非使用時においてもこれらが邪魔にならない。靴を脱がないで雨具を脱げるので、車に乗ったり飲食店に入る際にも、雨具で椅子を濡らすことなく座ることができる。さらにまた、必要時に保持部２０から中空筒状部分１０を引き出して、左右連結部１８で連結して腰被覆部１４を構成することにより、下半身防水具として速やかに利用できる。加えて、足下に常時雨具が常備されている状態であるため、急な雨でも対応でき、しかも着用、脱衣も容易であるという優れた下半身防水具が実現できる。
【産業上の利用可能性】
【００２１】
本考案の下半身防水具は、雨具の下として好適に利用できる。
【図面の簡単な説明】
【００２２】
【図１】本考案の実施の形態に係る下半身防水具の外観を示す斜視図である。
【図２】図１に示す下半身防水具を分割した左防水具を示す斜視図である。
【図３】図２に示す左防水具の中空円筒状部分をコンパクトに纏めた状態を示す斜視図である。
【図４】図３に示す中空円筒状部分を保持部で保持する状態を示す断面図である。
【図５】本考案の他の実施の形態に係る下半身防水具の靴連結部を示す断面図である。
【図６】本考案のさらに他の実施の形態に係る下半身防水具の外観を示す斜視図である。
【図７】図６に示す下半身防水具を分割した左防水具を示す斜視図である。
【図８】図７に示す左防水具の中空円筒状部分をコンパクトに纏めた状態を示す斜視図である。
【符号の説明】
【００２３】
１００、２００、３００…下半身防水具
１００Ａ，３００Ａ…左防水具；１００Ｂ…右防水具
１０…中空筒状部分
１２…開口部
１４…腰被覆部
１６…分割ライン；１８…左右連結部
２０…保持部
２２…靴連結部
２４…長靴
Ｆ…足；Ｓ…靴
【図１】
0003105050.tif 000003
【図２】
0003105050.tif 000004
【図３】
0003105050.tif 000005
【図４】
0003105050.tif 000006
【図５】
0003105050.tif 000007
【図６】
0003105050.tif 000008
【図７】
0003105050.tif 000009
【図８】
0003105050.tif 000010